(57)【要約】【課題】  ネットワークに接続される複数のデバイスの設定変更作業を容易にする。【解決手段】  ネットワークに接続される複数のデバイスのデバイス設定を、前記ネットワークに接続される管理サーバで管理するデバイス設定管理システムである。前記複数のデバイスのぞれぞれは、自身のデバイス設定情報を取得して前記管理サーバに送信させるためのデバイス監視部を備える。前記管理サーバは、前記複数のデバイスのうちいずれか一つのデバイスから送信されたデバイス設定情報を受信した際に、前記デバイスのデバイス設定が変更されているか否か把握し、前記デバイスの設定が変更されている場合には、前記受信したデバイス設定情報に基づいて更新設定情報を作成し、作成した前記更新設定情報を所定の他のデバイスに送信して反映させるデバイス設定管理部を備える。【選択図】        図２
2006099300.tif 000002
【特許請求の範囲】
【請求項１】
ネットワークに接続される複数のデバイスのデバイス設定を、前記ネットワークに接続される管理サーバで管理するデバイス設定管理システムあって、
前記複数のデバイスのぞれぞれは、
自身のデバイス設定情報を取得して前記管理サーバに送信させるためのデバイス監視部を備え、
前記管理サーバは、
前記複数のデバイスのうちいずれか一つのデバイスから送信されたデバイス設定情報を受信した際に、前記デバイスのデバイス設定が変更されているか否か把握し、前記デバイスの設定が変更されている場合には、前記受信したデバイス設定情報に基づいて更新設定情報を作成し、作成した前記更新設定情報を所定の他のデバイスに送信して反映させるデバイス設定管理部を備える、
ことを特徴とするデバイス設定管理システム。
【請求項２】
請求項１記載のデバイス設定管理システムにおいて、
前記デバイス設定管理部は、
前記複数のデバイスのうちいずれか一つのデバイスから送信されたデバイス設定情報を受信した際に、既に前記デバイスのデバイス設定情報として保持されている情報と、前記受信したデバイス設定情報とを比較することにより、前記デバイスのデバイス設定が変更されているか否か把握する、ことを特徴とするデバイス設定管理システム。
【請求項３】
請求項１記載のデバイス設定管理システムにおいて、
前記デバイス設定管理部は、
前記複数のデバイスのうちいずれか一つのデバイスから送信されたデバイス設定情報を受信した際に、既に前記デバイスおよび所定の他のデバイスに共通のデバイス設定情報として保持されている情報と、前記受信したデバイス設定情報とを比較することにより、前記デバイスのデバイス設定が変更されているか否か把握する、ことを特徴とするデバイス設定管理システム。
【請求項４】
ネットワークに接続される複数のデバイスのデバイス設定を、前記ネットワークに接続される管理サーバで管理するデバイス設定管理システムあって、
前記複数のデバイスのぞれぞれは、
自身のデバイス設定情報を取得して前記管理サーバに送信させるためのデバイス監視部を備え、
前記管理サーバは、
前記複数のデバイスのうち特定のデバイスから送信されたデバイス設定情報を受信した際に、前記デバイスのデバイス設定が変更されているか否か把握し、前記デバイスの設定が変更されている場合には、受信した前記特定のデバイスのデバイス設定情報に基づいて更新設定情報を作成し、作成した前記更新設定情報を所定の他のデバイスに送信して反映させるデバイス設定管理部を備える、
ことを特徴とするデバイス設定管理システム。
【請求項５】
ネットワークに接続される複数のデバイスのデバイス設定を、前記ネットワークに介して管理する管理サーバであって、
前記複数のデバイスのうちいずれか一つのデバイスから送信されたデバイス設定情報を受信した際に、前記デバイスのデバイス設定が変更されているか否か把握し、前記デバイスの設定が変更されている場合には、前記受信したデバイス設定情報に基づいて更新設定情報を作成し、作成した前記更新設定情報を所定の他のデバイスに送信して反映させることを特徴とする管理サーバ。
【請求項６】
ネットワークに接続される複数のデバイスのデバイス設定を、前記ネットワークを介して管理する管理サーバであって、
前記複数のデバイスのうち特定のデバイスから送信されたデバイス設定情報を受信した際に、前記デバイスのデバイス設定が変更されているか否か把握し、前記デバイスの設定が変更されている場合には、受信した前記特定のデバイスのデバイス設定情報に基づいて更新設定情報を作成し、作成した前記更新設定情報を所定の他のデバイスに送信して反映させることを特徴とする管理サーバ。
【請求項７】
ネットワークに接続される複数のデバイスのデバイス設定を、前記ネットワークに接続される管理サーバで管理するデバイス設定管理方法であって、
前記複数のデバイスのうちいずれか一つのデバイスから送信されたデバイス設定情報を受信した際に、前記デバイスのデバイス設定が変更されているか否か把握し、
前記デバイスの設定が変更されている場合には、前記受信したデバイス設定情報に基づいて更新設定情報を作成し、
作成した前記更新設定情報を所定の他のデバイスに送信して反映させる、
ことを特徴とするデバイス設定管理方法。
【請求項８】
ネットワークに接続される複数のデバイスのデバイス設定を、前記ネットワークに接続される管理サーバで管理するデバイス設定管理方法であって、
前記複数のデバイスのうち特定のデバイスから送信されたデバイス設定情報を受信した際に、前記デバイスのデバイス設定が変更されているか否か把握し、
前記デバイスの設定が変更されている場合には、受信した前記特定のデバイスのデバイス設定情報に基づいて更新設定情報を作成し、
作成した前記更新設定情報を所定の他のデバイスに送信して反映させる、
ことを特徴とするデバイス設定管理方法。
【請求項９】
ネットワークに接続される複数のデバイスのデバイス設定を、前記ネットワークに接続される管理サーバで管理するためのコンピュータプログラムであって、
前記複数のデバイスのうちいずれか一つのデバイスから送信されたデバイス設定情報を受信した際に、前記デバイスのデバイス設定が変更されているか否か把握する機能と、
前記デバイスの設定が変更されている場合には、前記受信したデバイス設定情報に基づいて更新設定情報を作成する機能と、
作成した前記更新設定情報を所定の他のデバイスに送信して反映させる機能と、
をコンピュータに実現させるためのコンピュータプログラム。
【請求項１０】
ネットワークに接続される複数のデバイスのデバイス設定を、前記ネットワークに接続される管理サーバで管理するためのコンピュータプログラムであって、
前記複数のデバイスのうち特定のデバイスから送信されたデバイス設定情報を受信した際に、前記デバイスのデバイス設定が変更されているか否か把握する機能と、
前記デバイスの設定が変更されている場合には、受信した前記特定のデバイスのデバイス設定情報に基づいて更新設定情報を作成する機能と、
作成した前記更新設定情報を所定の他のデバイスに送信して反映させる機能と、
をコンピュータに実現させるためのコンピュータプログラム。
【請求項１１】
請求項９または請求項１０記載のコンピュータプログラムを記録する記録媒体。
【発明の詳細な説明】
【技術分野】
【０００１】
本発明は、ネットワークに接続されるプリンタなどのデバイスのデバイス設定を管理する技術に関するものである。
【背景技術】
【０００２】
近年、ネットワークに接続されるプリンタが普及している。例えば、あるＬＡＮ（Local Area Network）に複数のプリンタが接続されており、このＬＡＮに接続されているある端末から、このＬＡＮに接続されている複数のプリンタのいずれか一台以上のプリンタに対して印刷ジョブを送信することにより、ユーザは印刷を実行することができる。
【０００３】
また、ネットワークに接続された複数のプリンタと、それら複数のプリンタを管理する管理サーバとが、ネットワークを介して接続される管理システムが普及しつつある。この管理システムでは、管理サーバが、ネットワークを介して、プリンタから種々の情報の通知、例えば、プリンタの動作条件に関する設定を示すデバイス設定情報の通知や、印刷枚数やトナーなどにおける消耗品の低減具合などの通知、を受け付け管理する。その後、この管理される情報は、例えば、課金のための情報として用いられる。
【０００４】
このような管理システムにおいて、あるＬＡＮに接続されている同一機種の複数のプリンタは１つのグループとし、それぞれの個別の設定項目を除いて、グループ内のプリンタのデバイス設定を共通設定にすることが多い。このため、グループ内の一台のプリンタのデバイス設定を変更する際には、グループ内の他のプリンタのデバイス設定も変更する必要がある。
【０００５】
従来、プリンタのデバイス設定を変更するには、変更作業者がプリンタの操作パネルを操作して、あるいは、ネットワークを介して接続される端末を操作して、１台ごとに変更を行っていた。このため、デバイス設定を変更するプリンタの台数が増加すると、それに応じて変更作業者による設定変更作業が大変となる。
【０００６】
また、ネットワークを介して接続される端末を操作して、変更データを入力するとともに、変更するプリンタのアドレスを全て指定して、指定したプリンタの全てに対して変更データを送信することにより、変更対象のプリンタの全てに対して一括して変更を行うことも考えられる。しかしながら、この場合においても、変更データの入力や変更するプリンタのアドレスの指定等を変更対象のプリンタごとに行う必要があり、変更作業者の負荷軽減の点で不十分である。なお、ネットワークデバイスに対してデータを配信するシステムに関する先行技術文献として、例えば、下記特許文献１〜３が挙げられる。
【０００７】
【特許文献１】特開２００２−１７６４２４号公報
【特許文献２】特開２０００−２０９２３９号公報
【特許文献３】特開平１１―３３１２７０号公報
【０００８】
なお、上述の管理システムでは、ネットワークに接続されるデバイス（以下、単にデバイスと呼ぶ。）としてプリンタを例に説明したが、これに限られず、他のデバイスでも同様の問題が起こり得る。
【発明の開示】
【発明が解決しようとする課題】
【０００９】
本発明は、上述した従来の課題を解決するためになされたものであり、ネットワークに接続される複数のデバイスの設定変更作業を容易に行うことが可能な技術を提供することを目的とする。
【課題を解決するための手段】
【００１０】
上記目的の少なくとも一部を達成するために、本発明のデバイス設定管理システムは、
ネットワークに接続される複数のデバイスのデバイス設定を、前記ネットワークに接続される管理サーバで管理するデバイス設定管理システムあって、
前記複数のデバイスのぞれぞれは、
自身のデバイス設定情報を取得して前記管理サーバに送信させるためのデバイス監視部を備え、
前記管理サーバは、
前記複数のデバイスのうちいずれか一つのデバイスから送信されたデバイス設定情報を受信した際に、前記デバイスのデバイス設定が変更されているか否か把握し、前記デバイスの設定が変更されている場合には、前記受信したデバイス設定情報に基づいて更新設定情報を作成し、作成した前記更新設定情報を所定の他のデバイスに送信して反映させるデバイス設定管理部を備える、ことを特徴とする。
【００１１】
上記構成によれば、いずれか１台のデバイスでそのデバイス設定が変更された場合、そのデバイス設定情報が管理サーバに送信されると、そのデバイス設定の変更が、他のデバイスのデバイス設定に反映される。これにより、ネットワークに接続される複数のデバイスの設定変更作業を容易に行うことが可能となる。
【００１２】
上記デバイス設定管理システムにおいて、
前記デバイス設定管理部は、
前記複数のデバイスのうちいずれか一つのデバイスから送信されたデバイス設定情報を受信した際に、既に前記デバイスのデバイス設定情報として保持されている情報と、前記受信したデバイス設定情報とを比較することにより、前記デバイスのデバイス設定が変更されているか否か把握する構成とすることができる。
【００１３】
また、前記デバイス設定管理部は、
前記複数のデバイスのうちいずれか一つのデバイスから送信されたデバイス設定情報を受信した際に、既に前記デバイスおよび所定の他のデバイスに共通のデバイスバイス設定情報として保持されている情報と、前記受信したデバイス設定情報とを比較することにより、前記デバイスのデバイス設定が変更されているか否か把握する構成とすることもできる。
【００１４】
上記構成によれば、デバイス設定情報を送信したデバイスのデバイス設定が変更されているか否かを容易に把握することができる。
【００１５】
また、本発明の他のデバイス設定管理システムは、
ネットワークに接続される複数のデバイスのデバイス設定を、前記ネットワークに接続される管理サーバで管理するデバイス設定管理システムあって、
前記複数のデバイスのぞれぞれは、
自身のデバイス設定情報を取得して前記管理サーバに送信させるためのデバイス監視部を備え、
前記管理サーバは、
前記複数のデバイスのうち特定のデバイスから送信されたデバイス設定情報を受信した際に、前記デバイスのデバイス設定が変更されているか否か把握し、前記デバイスの設定が変更されている場合には、受信した前記特定のデバイスのデバイス設定情報に基づいて更新設定情報を作成し、作成した前記更新設定情報を所定の他のデバイスに送信して反映させるデバイス設定管理部を備える、
ことを特徴とする。
【００１６】
この構成のデバイス設定管理システムでは、特定のデバイスでそのデバイス設定が変更された場合、そのデバイス設定情報が管理サーバに送信されると、そのデバイス設定の変更が、他のデバイスのデバイス設定に反映される。これにより、ネットワークに接続される複数のデバイスの設定変更作業を容易に行うことが可能となる。また、この構成によれば、例えば、他のデバイス設定が特定のデバイスのデバイス設定と異なっていた場合には、特定のデバイス設定を他のデバイス設定に反映させることができるので、デバイス設定を変更可能なデバイスを制限することができる。
【００１７】
なお、本発明は、上記したデバイス設定管理システムの態様だけでなく、管理サーバの態様で実現することも可能である。また、装置発明の態様に限ることなく、方法発明としての態様で実現することも可能である。さらには、それら方法や装置を構築するためのコンピュータプログラムとしての態様や、そのようなコンピュータプログラムを記録した記録媒体としての態様や、上記コンピュータプログラムを含み搬送波内に具現化されたデータ信号など、種々の態様で実現することも可能である。
【００１８】
また、本発明をコンピュータプログラムまたはそのプログラムを記録した記録媒体等として構成する場合には、上記装置の動作を制御するプログラム全体として構成するものとしてもよいし、本発明の機能を果たす部分のみを構成するものとしてもよい。
【発明を実施するための最良の形態】
【００１９】
以下、本発明の実施の形態について、実施例に基づき次の順序で説明する。
Ａ．実施例：
Ａ１．システム概要：
Ａ２．プリンタおよびＤＭサーバの構成：
Ａ３．デバイス設定管理処理：
Ａ４．実施例の効果：
Ｂ．変形例：
【００２０】
Ａ．実施例：
Ａ１．システム概要：
図１は、本発明の一実施例としてのデバイス管理システムの概要構成を示す説明図である。本実施例におけるデバイス管理システム１０００では、デバイスマネージメントサーバ（Device Management Sever、以下、ＤＭサーバと略す。）ＳＶと、複数のクライアントＰＣ（以下、クライアントと略す。）と、ネットワークに接続されるデバイスとしての複数のプリンタＰＲＴと、がネットワークを介して接続されている。具体的には、このシステム内に設けられたローカルエリアネットワークＬＡＮ１を介して、複数のプリンタＰＲＴと、複数のクライアントＣＬと、が接続されている。そして、このローカルエリアネットワークＬＡＮ１は、ファイアウォールＦＷを介してインターネットＩＮＴに接続されている。また、ＤＭサーバＳＶは、ローカルエリアネットワークＬＡＮ２に接続され、そのローカルエリアネットワークＬＡＮ２は、インターネットＩＮＴに接続されている。なお、複数のプリンタＰＲＴは、同一機種ごとにグループ化されており、図１には、グループＡに属する３台のプリンタＰＲＴ１〜ＰＲＴ３が示されている。また、図１には、複数のクライアントＣＬのうち、１台のクライアントＣＬが示されている。なお、以下では、ＬＡＮ１に接続された所定のプリンタを、単にプリンタＰＲＴとも呼ぶ。
【００２１】
これらネットワークに接続されている各デバイス間の通信は、ＴＣＰ／ＩＰプロトコルをベースとしており、各デバイスには、それぞれ、ＩＰアドレスが割り振られている。そして、発信元のデバイスから発信された通信データには、発信元のデバイスのＩＰアドレス（発信元ＩＰアドレス）と、送信先のデバイスのＩＰアドレス（送信先ＩＰアドレス）とが含まれており、この通信データは、送信先ＩＰアドレスに従って、そのＩＰアドレスを有するデバイスに送信される。なお、厳密に言えば、これらＩＰアドレスは、クライアントＣＬや、プリンタＰＲＴ、ＤＭサーバＳＶ自体に設定されているわけではなく、ＴＣＰ／ＩＰのネットワークから見た場合のノード（すなわち、具体的には、ＴＣＰ／ＩＰ通信を行うためにネットワークに接続されるネットワークインタフェースなど）に設定されている。
【００２２】
各プリンタＰＲＴは、クライアントＣＬからプリンタＰＲＴに送信された、印刷ジョブを含む通信データやプリンタＰＲＴの動作条件に関する設定（以下、「デバイス設定」とも呼ぶ）を示す情報（以下、「デバイス設定情報」と略す）を含む通信データを受信する。また、各プリンタＰＲＴは、プリンタの動作状態や動作結果等の種々の情報（以下「デバイス動作情報」と略す）や、ＤＭサーバへのアクセスに関する制御情報(以下、「アクセス制御情報」と略す)、上記デバイス設定情報などを含む通信データをＤＭサーバＳＶとの間で送受信する。なお、以下では、デバイス設定情報や、デバイス動作情報、アクセス制御情報を単に「デバイス情報」と呼ぶ場合もある。
【００２３】
ＤＭサーバＳＶは、各プリンタＰＲＴから送信された通信データに含まれているデバイス情報をデータベースＤＢに蓄積する。ＤＭサーバＳＶは、データベースＤＢに蓄積したデバイス情報に基づいて、種々の処理を行う。例えば、トナー使用量、使用用紙数等の、デバイス動作情報に含まれているプリンタの使用量に関わる情報に基づいて、プリンタの使用量に応じた課金管理を行う。また、デバイス設定情報に基づいて、後述するように、各プリンタのデバイス設定を管理する。この際、ＤＭサーバＳＶでは、同じＬＡＮに接続されている複数のプリンタＰＲＴを同一機種ごとにまとめてグループ化して、グループ内の各プリンタのデバイス設定が共通の設定となるようにデバイス設定管理を行う。図１の例では、プリンタＰＲＴ１〜ＰＲＴ３のデバイス設定が共通の設定となるようにデバイス設定管理が行われる。
【００２４】
なお、プリンタＰＲＴが接続されているローカルエリアネットワークＬＡＮ１は、上述したように、ファイアウォールＦＷを介してインターネットＩＮＴに接続されている。このため、ＤＭサーバＳＶ側からは、ファイアウォールＦＷを越えてプリンタＰＲＴに対して接続して、プリンタＰＲＴのデバイス情報を取得することができない。そこで、本実施例では、プリンタＰＲＴ側からＤＭサーバＳＶに対してＨＴＴＰ（hyper text transfer protocol）を用いて接続し、デバイス情報を送信(アップロード)することとする。なお、プリンタＰＲＴおよびＤＭサーバＳＶ間では、セキュリティの観点から、ＨＴＴＰの一種であるＨＴＴＰＳプロトコルによる暗号化通信が行われる。例えば、各プリンタＰＲＴには、ＤＭサーバＳＶが各プリンタＰＲＴを一意に識別するための識別情報およびＤＭサーバＳＶへの接続認証のためのパスワードが予め設定されている。各プリンタＰＲＴは、種々の情報をＤＭサーバＳＶにアップロードする際に、まず、識別情報およびパスワードを用いてＤＭサーバＳＶにログインし、ＤＭサーバＳＶからの応答指示に従って情報をアップロードする。
【００２５】
この管理システム１０００では、後述するＤＭサーバＳＶのデバイス設定管理機能によって、以下で説明するように、グループＡ内のいずれかのプリンタＰＲＴのデバイス設定が変更されると、その変更が自動的に他のプリンタＰＲＴのデバイス設定に反映される。
【００２６】
説明の前提として、例えば、あるユーザがクライアントＣＬを操作して、第１のプリンタＰＲＴ１のデバイス設定を変更したとする。あるいは、プリンタＰＲＴ１の操作パネルを操作して、第１のプリンタＰＲＴ１のデバイス設定を変更したとする。また、各プリンタＰＲＴでは、それぞれの所定のタイミングで、例えば、あらかじめ定められている所定の周期間隔で、ＤＭサーバＳＶに対してアクセスして、デバイス情報のアップロードが行われるとする。
【００２７】
まず、第１のプリンタＰＲＴ１において、あらかじめ定められている所定のタイミングでＤＭサーバＳＶへのアクセス要求が発生し、ＤＭサーバＳＶへのアクセスが実行されると、第１のプリンタＰＲＴ１は、変更されたデバイス設定情報を含むデバイス情報をＤＭサーバＳＶに対してアップロードする(図１（１）)。
【００２８】
次に、第２のプリンタＰＲＴ２において、このプリンタに定められた所定のタイミングでＤＭサーバＳＶへのアクセス要求が発生し、ＤＭサーバＳＶへのアクセスが実行されると(図１（２−１）)、ＤＭサーバＳＶは第２のプリンタＰＲＴ２に対して、第１のプリンタＰＲＴ１からアップロードされたデバイス設定情報を送信(ダウンロード)する（図１（２−２））。
【００２９】
また、第３のプリンタＰＲＴ３において、このプリンタに定められた所定のタイミングでＤＭサーバＳＶへのアクセス要求が発生し、ＤＭサーバＳＶへのアクセスが実行されると（図１（３−１））、ＤＭサーバＳＶは第３のプリンタＰＲＴ３に対して、第１のプリンタＰＲＴ１からアップロードされたデバイス設定情報をダウンロードする(図１（３−２）)。
【００３０】
以上のようにして、グループＡ内の第１のプリンタＰＲＴ１についてデバイス設定が変更されることにより、ＤＭサーバＳＶによって他のプリンタＰＲＴ２，ＰＲＴ３にも、第１のプリンタＰＲＴ１のデバイス設定情報がダウンロードされる。これにより、グループＡ内の全てのプリンタＰＲＴのデバイス設定を共通設定とすることができる。なお、上記説明では、第２のプリンタＰＲＴ２、第３のプリンタＰＲＴ３の順に処理される場合を例に説明しているが、処理の順番は逆であってもよく、先にＤＭサーバＳＶへのアクセス要求が発生して、アクセス処理を実行したプリンタの処理が先に実行される。
【００３１】
Ａ２．プリンタおよびＤＭサーバの構成：
図２は、図１におけるプリンタＰＲＴ１〜ＰＲＴ３、およびＤＭサーバＳＶの内部構成を例示する説明図である。この内部構成は、本発明の特徴を説明するための構成を主に示しており、特に必要としない内部構成については省略している。
【００３２】
第１のプリンタＰＲＴ１は、プリンタコントローラ２０Ａと、ネットワークインタフェース（ネットワークＩ／Ｆ）３０Ａと、ＤＭアクセス制御部４０Ａと、デバイス監視部５０Ａと、メモリ６０Ａと、を備えている。
【００３３】
プリンタコントローラ２０Ａは、実際に印刷を実行するプリンタエンジン（図示しない）の動作を制御する。なお、プリンタコントローラ２０Ａには、プリンタに関する種々の情報がＭＩＢ(Management Information Base)と呼ばれる形式で保存されている。ＭＩＢには、プリンタに関して予め規格で統一的に規定されている情報や、製造者によって独自に定義されている情報がオブジェクト形式で保存されている。このオブジェクトの情報としては、例えば、プリンタの設定情報（デバイス設定情報）や、印刷に使用した紙の種類や枚数の情報、印刷に使用したトナー量あるいはインク量の情報、および紙ジャム等の種々の障害情報などのプリンタの動作情報（デバイス動作情報）などのデバイス情報がある。また、このオブジェクトは、情報の要素によってツリー構造で管理され、それぞれにオブジェクトＩＤ（以下、ＯＩＤと呼ぶ。）が割り振られ、識別できるようになっている。
【００３４】
ネットワークＩ／Ｆ３０Ａは、実際にネットワーク通信を行うための通信インタフェースである。
【００３５】
ＤＭアクセス制御部４０Ａは、あらかじめ定められている所定のタイミングで、ＤＭサーバＳＶにアクセス要求を行い、メモリ６０Ａのデバイス情報格納部６２Ａに格納されているデバイス情報を送信(アップロード)するとともに、ＤＭサーバＳＶからの応答として送信される情報を受信(ダウンロード)する。受信した情報のうち、アクセス制御情報についてはメモリ６０Ａの制御情報格納部６４Ａに格納され、デバイス設定情報についてはデバイス監視部５０Ａに受け渡される。
【００３６】
なお、上記所定のタイミングに関する情報は、アクセス制御情報として、あらかじめ制御情報格納部６４Ａに格納されている。ＤＭアクセス制御部４０Ａは、図示しないタイマーで時間を監視し、所定のタイミングでＤＭサーバＳＶへのアクセスを実行する。
【００３７】
デバイス監視部５０Ａは、ＭＩＢに蓄積されているデバイス情報を定期的に取得して、デバイス情報格納部６２Ａに格納する。また、ＭＩＢに蓄積されているデバイス情報を監視して、変更が発生した場合に、その情報を取得してデバイス情報格納部６２Ａに格納する。そして、デバイス監視部５０Ａは、デバイス情報格納部６２Ａに格納したデバイス情報のＤＭサーバＳＶへの送信（アップロード）を、ＤＭアクセス制御部４０Ａに要求する。なお、デバイス情報を定期的に取得するタイミングに関する情報は、アクセス制御情報として、あらかじめ制御情報格納部６４Ａに格納されている。
【００３８】
また、デバイス監視部５０Ａは、ＤＭアクセス制御部４０Ａから受け渡されたデバイス設定情報をプリンタコントローラ２０Ａに受け渡して、ＭＩＢに反映させる。
【００３９】
なお、上記、ＤＭアクセス制御部４０Ａやデバイス監視部５０Ａは、ハードウェア的に構築された機能ブロックとして説明しているが、図示しないＣＰＵが、図示しないメモリから、所定のアプリケーションプログラムを読み出して、実行することにより実現される機能ブロックとして構築されるようにしてもよい。
【００４０】
第１のプリンタＰＲＴ１は、以上のように構成される。なお、第２のプリンタＰＲＴ２および第３のプリンタＰＲＴ３も、第１のプリンタＰＲＴ１と同一の機種であって全く同様の構成を有しているので、各構成に関する説明は省略する。ただし、第２のプリンタＰＲＴ２の各符号は、第１のプリンタＰＲＴ１における各符号の末尾の［１］を［２］に、［Ａ］を［Ｂ］に置き換えたものとする。また、第３のプリンタＰＲＴ３の各符号は、第１のプリンタＰＲＴ１における各符号の末尾の［１］を［３］に、［Ａ］を［Ｃ］に置き換えたものとする。
【００４１】
また、図２において、ＤＭサーバＳＶは、ＤＭサーバ部７０と、メモリ８０と、ネットワークＩ／Ｆ９０と、データベースＤＢと、を備えるコンピュータシステムである。
【００４２】
ＤＭサーバ部７０は、各プリンタから送信（アップロード）されたデバイス情報を受信して、データベースＤＢに蓄積する。ただし、受信したデバイス情報のうち、デバイス設定情報については、メモリ８０の受信情報格納部８２に一旦格納する。
【００４３】
ＤＭサーバ部７０に含まれるデバイス設定管理部７２は、受信情報格納部８２に格納されたデバイス設定情報と、データベースＤＢの履歴情報格納部８６に格納されている各プリンタＰＲＴのデバイス設定情報とを比較して、デバイス設定に変更があるか否か判断する。いずれかのプリンタＰＲＴから送信されたデバイス設定情報に変更があった場合には、その送信されたデバイス設定情報を、他のプリンタＰＲＴそれぞれのデバイス設定について更新するための更新設定情報として、メモリ８０の更新情報格納部８４に格納する。そして、デバイス設定管理部７２は、更新情報格納部８４に格納された更新設定情報を送信すべきプリンタＰＲＴがＤＭサーバＳＶに対してアクセスしてきたときに、対応する更新設定情報を送信（ダウンロード）する。なお、上述したように、この更新設定情報がダウンロードされたプリンタＰＲＴでは、受信した更新設定情報の示すデバイス設定情報がＭＩＢに反映される。
【００４４】
ネットワークＩ／Ｆ９０は、ネットワーク通信を行うための通信インタフェースである。
【００４５】
なお、上記ＤＭサーバ部７０は、ハードウェア的に構築された機能ブロックとして説明しているが、図示しないＣＰＵが、図示しないメモリから、所定のアプリケーションプログラムを読み出して、実行することにより実現される機能ブロックとして構築されるようにしてもよい。また、ＤＭサーバＳＶは、この他、コンピュータが備える種々の一般的な構成を備えるが、説明の便宜上省略されている。
【００４６】
Ａ３．デバイス設定管理処理：
以下では、ＤＭサーバＳＶのデバイス設定管理部７２が各プリンタＰＲＴから送信されたデバイス設定情報を管理し、同一グループ内のいずれかのプリンタＰＲＴのデバイス設定が変更された場合に、同一グループ内の他のプリンタＰＲＴに対して、その変更されたデバイス設定情報をダウンロードすることにより、あるプリンタＰＲＴで変更されたデバイス設定が同一グループ内の他のプリンタＰＲＴに対して反映される処理について説明する。
【００４７】
図３は、本実施例におけるデバイス設定管理処理の手順を示すフローチャートである。なお、このデバイス設定管理処理は、デバイス設定管理部７２によって、常時実行される。
【００４８】
デバイス設定管理処理を開始すると、まず、ＤＭサーバＳＶが管理するいずれかのプリンタＰＲＴからアクセスがあるまで待機している（ステップＳ１０）。いずれかのプリンタＰＲＴからのアクセスがあった場合（ステップＳ１０：Ｙ）、そのプリンタＰＲＴから送信（アップロード）されたデバイス設定情報を受信情報格納部８２に格納する（ステップＳ２０）。
【００４９】
次に、アクセス対象のプリンタＰＲＴに対して送信（ダウンロード）すべき更新設定情報が、更新情報格納部８４（図２）に格納されているか否か判断する(ステップＳ３０)。ダウンロードすべき更新設定情報がない場合(ステップＳ３０：Ｎ)には、さらに、ステップＳ４０の判断処理を実行し、ダウンロードすべき更新設定情報がある場合（ステップＳ３０：Ｙ）には、さらに、ステップ６０の判断処理を実行する。
【００５０】
ステップＳ４０では、さらに、受信情報格納部８２（図２）に格納されたデバイス設定情報（以下の説明では、「受信設定情報」とも呼ぶ）と、履歴情報格納部８６（図２）に既に格納されているデバイス設定情報のうち、アクセス対象のプリンタＰＲＴのデバイス設定情報（以下の説明では、「現設定情報」とも呼ぶ）とを比較し、デバイス設定に変更があるか否か判断する。デバイス設定に変更がない場合（ステップＳ４０：Ｎ）には、先頭の処理（ステップＳ１０）に戻って、再びいずれかのプリンタＰＲＴからアクセスがあるまで待機する。一方、デバイス設定に変更がある場合（ステップＳ４０：Ｙ）には、ステップＳ５０の更新情報作成処理を実行する。
【００５１】
図４は、更新情報作成処理の手順を示すフローチャートである。この更新情報処理では、まず、履歴情報格納部８６に格納されているデバイス設定情報のうち、アクセス対象のプリンタＰＲＴのデバイス設定情報（現設定情報）を、受信情報格納部８２に格納されているデバイス設定情報（受信設定情報）に基づいて更新する（ステップＳ５２）。そして、受信設定情報に基づいて、他のプリンタＰＲＴにダウンロードすべき更新設定情報を作成し、プリンタＰＲＴごとに更新情報格納部８４に格納する（ステップＳ５４）。そして、この更新情報作成処理を終了し、図３のデバイス設定管理処理に戻る。
【００５２】
ステップＳ５０の更新情報作成処理を終了すると、先頭の処理（ステップＳ１０）に戻って、再びいずれかのプリンタＰＲＴからアクセスがあるまで待機する。
【００５３】
ステップＳ６０では、さらに、アクセス対象のプリンタＰＲＴに対応する更新設定情報が送信済みの情報であるか否か判断する。アクセス対象のプリンタＰＲＴに対応する更新設定情報が送信済みでない場合（ステップＳ６０：Ｎ）には、ステップＳ７０のデバイス設定更新処理を実行する。一方、アクセス対象のプリンタＰＲＴに対応する更新設定情報が送信済みである場合（ステップＳ６０：Ｙ）には、ステップＳ８０の更新確認処理を実行する。
【００５４】
図５は、デバイス設定更新処理の手順を示すフローチャートである。このデバイス設定更新処理では、まず、アクセス対象のプリンタＰＲＴに対応する更新設定情報を、そのプリンタＰＲＴにダウンロードする（ステップＳ７２）。そして、ダウンロードした更新設定情報に、送信済みであることを示す情報（送信済み情報）を付加する（ステップＳ７４）。そして、このデバイス設定更新処理を終了し、図３のデバイス設定管理処理に戻る。
【００５５】
ステップＳ７０のデバイス設定更新処理を終了すると、先頭の処理（ステップＳ１０）に戻って、再びいずれかのプリンタＰＲＴからアクセスがあるまで待機する。
【００５６】
図６は、更新確認処理の手順を示すフローチャートである。ステップＳ８０の更新確認処理では、まず、アクセス対象のプリンタＰＲＴからアップロードされて、受信情報格納部８２に格納されているデバイス設定情報（受信設定情報）が、更新情報格納部８４に格納されている送信済みの更新設定情報と同じであるか否か判断する（ステップＳ８２）。そして、この受信設定情報と送信済みの更新設定情報とが同じでない場合（ステップＳ８２：Ｎ）には、このプリンタＰＲＴにおいて正常にデバイス設定が更新されていないと判断できるので、送信済みの更新設定情報に付加されていた送信済み情報を削除することにより未送信の更新設定情報に戻す（ステップＳ８４）。そして、この更新確認処理を終了し、図３のデバイス設定管理処理に戻る。一方、受信設定情報と送信済みの更新設定情報とが同じである場合（ステップＳ８２：Ｎ）には、アクセス対象のプリンタＰＲＴにおいて正常にデバイス設定が更新されていると判断できるので、履歴情報格納部８６に格納されているデバイス設定情報のうち、このプリンタＰＲＴのデバイス設定情報を、受信情報格納部８２に格納されている受信設定情報に基づいて更新する（ステップＳ８６）。次に、送信済みの更新設定情報を、更新情報格納部８４から削除する。（ステップＳ８８）。そして、この更新確認処理を終了し、図３のデバイス設定管理処理に戻る。
【００５７】
ステップＳ８０の更新確認処理を終了すると、先頭の処理（ステップＳ１０）に戻って、再びいずれかのプリンタＰＲＴからアクセスがあるまで待機する。
【００５８】
こうして、いずれかのプリンタＰＲＴからアクセスがあるごとに、アクセス対象のプリンタＰＲＴに送信すべき更新設定情報の有無およびデバイス設定の変更の有無に応じて、待機処理、更新情報作成処理、デバイス設定更新処理、および、更新確認処理のいずれかを実行することにより、デバイス設定管理が行われる。
【００５９】
以下では、上記デバイス設定管理処理により、図１のグループＡに含まれる第１のプリンタＰＲＴ１のデバイス設定を変更することにより、第２のプリンタＰＲＴ２および第３のプリンタＰＲＴ３のデバイス設定に第１のプリンタＰＲＴ１の変更したデバイス設定が反映される場合について説明する。なお、説明を容易にするため、図７に示すように、節電時間、トナーセーブ、解像度の３つの項目がデバイス設定の項目であり、これらのデバイス設定項目の情報がデバイス設定情報として送信されることとし、グループＡに含まれる第１のプリンタＰＲＴ１（図１）のデバイス設定が図７（Ａ）の状態から図７（Ｂ）に示す状態に変更されて、ＤＭサーバＳＶに送信されることを前提とする。
【００６０】
第１のプリンタＰＲＴ１がＤＭサーバＳＶにアクセスすると、第１のプリンタＰＲＴ１からアップロードされたデバイス設定情報（図７（Ｂ）参照）が受信設定情報として受信情報格納部８２に格納される（図３のステップＳ２０）。なお、履歴情報格納部８６には、図７（Ａ）のデバイス設定情報が現設定情報として格納されている。
【００６１】
上記前提に従えば、第１のプリンタＰＲＴ１がＤＭサーバＳＶにアクセスする際において、更新情報格納部８４には第１のプリンタＰＲＴ１の更新設定情報は格納されていないので、更新設定情報なしと判断される（図３のステップＳ３０：Ｎ）。また、第１のプリンタＰＲＴ１の受信設定情報（図７（Ｂ）参照）と現設定情報（図７（Ａ）参照）とを比較すると、節電時間が１０分から５分に変更されているため、デバイス設定に変更があると判断される（図３のステップＳ４０：Ｙ）。これにより、第１のプリンタＰＲＴ１がＤＭサーバＳＶにアクセスすると、まず、更新情報作成処理（図３のステップＳ５０）が実行される。
【００６２】
更新情報作成処理が実行されると、履歴情報格納部８６に格納されている第１のプリンタＰＲＴ１のデバイス設定情報（現設定情報）が、受信情報格納部８２に格納されているデバイス設定情報（受信設定情報）に基づいて更新される（図４のステップＳ５２）。そして、受信設定情報に基づいて、第２のプリンタＰＲＴ２の更新設定情報および第３のプリンタＰＲＴ３の更新設定情報が作成されて、更新情報格納部８４に格納される（図４のステップＳ５４）。
【００６３】
次に、第２のプリンタＰＲＴ２がＤＭサーバＳＶにアクセスすると、第２のプリンタＰＲＴ２からアップロードされたデバイス設定情報（図７（Ａ）参照）が受信設定情報として受信情報格納部８２に格納される（図３のステップＳ２０）。なお、履歴情報格納部８６にも、図７（Ａ）のデバイス設定情報が現設定情報として格納されている。
【００６４】
更新情報格納部８４には第２のプリンタＰＲＴ２の未送信の更新設定情報が格納されているので、更新設定情報ありと判断される（図３のステップＳ３０：Ｙ）。また、更新設定情報は未送信と判断される（図３のステップＳ６０：Ｎ）。これにより、第２のプリンタＰＲＴ２がアクセスすると、デバイス設定更新処理（図３のステップＳ７０）が実行される。
【００６５】
デバイス設定更新処理が実行されると、更新情報格納部８４に格納されている第２のプリンタＰＲＴ２の更新設定情報が第２のプリンタＰＲＴ２にダウンロードされる（図５のステップＳ７２）。そして、ダウンロードした更新設定情報に送信済み情報が付加される（図５のステップＳ７４）。更新設定情報が送信された第２のプリンタＰＲＴ２では、この更新設定情報がＭＩＢに反映されて、第２のプリンタＰＲＴ２のデバイス設定が第１のプリンタＰＲＴ１のデバイス設定と同じ状態（図７（Ｂ）参照）とされることになる。
【００６６】
そして、第２のプリンタＰＲＴ２に更新設定情報がダウンロードされた後、第２のプリンタＰＲＴ２がＤＭサーバＳＶに再度アクセスすると、同様に、第２のプリンタＰＲＴ２からアップロードされたデバイス設定情報（図７（Ｂ）参照）が受信設定情報として受信情報格納部８２に格納される（図３のステップＳ２０）。なお、履歴情報格納部８６には、図７（Ａ）のデバイス設定情報が現設定情報として格納されている。
【００６７】
更新情報格納部８４には第２のプリンタＰＲＴ２の送信済みの更新設定情報が格納されているので、更新設定情報ありと判断される（図３のステップＳ３０：Ｙ）。また、更新設定情報は送信済みと判断される（図３のステップＳ６０：Ｙ）。これにより、第２のプリンタＰＲＴ２が再びアクセスすると、更新確認処理（図３のステップＳ８０）が実行される。
【００６８】
更新確認処理が実行されると、受信情報格納部８２に格納されている受信設定情報が、更新情報格納部８４に格納されている送信済みの更新設定情報と同じであるか否か判断される（図６のステップＳ８２）。そして、先にアクセスしたときにダウンロードされた更新設定情報が正常にＭＩＢに反映された場合には、受信設定情報と送信済みの更新設定情報とが同じとなる（ステップＳ８２：Ｙ）ので、第２のプリンタＰＲＴ２において正常にデバイス設定が更新されていると判断して、履歴情報格納部８６に格納されている第２のプリンタＰＲＴ２のデバイス設定情報が、受信情報格納部８２に格納されている受信設定情報に基づいて更新される（図６のステップＳ８６）。そして、送信済みの更新設定情報が、更新情報格納部８４から削除される（図６のステップＳ８８）。こうして、第２のプリンタＰＲＴ２のデバイス設定の更新が終了する。
【００６９】
第３のプリンタＰＲＴ３においても、上記第２のプリンタＰＲＴ２の場合と同様に、第３のプリンタＰＲＴ３がＤＭサーバＳＶにアクセスすることにより、第３のプリンタＰＲＴ３の更新設定情報がダウンロードされ、第３のプリンタＰＲＴ３のデバイス設定が更新される。
【００７０】
以上のように、上記デバイス設定管理処理により、図１のグループＡに含まれる第１のプリンタＰＲＴ１のデバイス設定を変更することにより、第２のプリンタＰＲＴ２および第３のプリンタＰＲＴ３のデバイス設定に第１のプリンタＰＲＴ１の変更したデバイス設定が反映される。
【００７１】
Ａ４．実施例の効果：
以上のように、本実施例のデバイス管理システム１０００では、ＤＭサーバＳＶのデバイス設定管理部７２によって、同一機種のプリンタＰＲＴで構成されるグループＡにおいて、いずれか一台のプリンタＰＲＴのデバイス設定が変更された場合に、そのプリンタＰＲＴからＤＭサーバＳＶにアップロードされたデバイス設定情報（受信設定情報）と、履歴情報として格納されているデバイス設定情報（現設定情報）とに基づいて、そのプリンタＰＲＴのデバイス設定が変更されたことを検出することができる。
【００７２】
また、グループＡ内の他のプリンタＰＲＴのデバイス設定を更新するために、アップロードされた受信設定情報に基づいて、他のプリンタにダウンロードする更新設定情報を作成することができる。そして、他のプリンタＰＲＴがＤＭサーバＳＶにアクセスしてきたときに、作成した更新設定情報をそのプリンタＰＲＴにダウンロードすることができる。
【００７３】
これにより、更新設定情報をダウンロードされたプリンタＰＲＴは、そのデバイス設定を変更することができる。従って、グループＡ内のいずれか１台のプリンタＰＲＴのデバイス設定を変更することにより、他のプリンタＰＲＴの設定が、デバイス設定の変更を実施した１台のプリンタＰＲＴのデバイス設定と共通の設定となるように制御することが可能となる。これにより、ネットワークに接続される複数のプリンタを１台ごとに変更作業する必要がなく、プリンタの設定変更作業を容易に行うことが可能となる。
【００７４】
Ｂ．変形例：
なお、本発明では、上記した実施の形態に限られるものではなく、その要旨を逸脱しない範囲において種々の態様にて実施することが可能である。
【００７５】
Ｂ１．変形例１：
上記実施例では、説明を容易にするため、節電時間、トナーセーブ、解像度の３つの項目がプリンタのデバイス設定項目であり、これらのデバイス設定項目の情報がデバイス設定情報として送信される場合を例に説明しているが、これに限定されるものではない。実際には種々の設定項目があり、これら種々の設定項目の情報がデバイス設定情報として送信されるようにしてもよい。また、プリンタのデバイス設定項目の全てがグループ内の各プリンタで共通に設定される必要はない。あらかじめ、各プリンタで共通設定にする項目を定めておき、その項目のみをグループ内の各プリンタで共通設定されるようにしてもよい。そして、共通設定の項目の情報のみをデバイス設定情報としてアップロードするようにしてもよい。なお、共通設定する項目としては、プリンタごとに個別に設定すべき項目、例えば、カラー調整設定、キャリブレーション調整周期等を除く、種々のデバイス設定項目が考えられる。
【００７６】
Ｂ２．変形例２：
上記実施例では、デバイス設定を変更したプリンタＰＲＴから、デバイス設定の全項目の情報がデバイス設定情報(受信設定情報)として、ＤＭサーバＳＶにアップロードされ、ＤＭサーバＳＶでは、履歴情報として格納されているデバイス設定情報(現設定情報)と比較して、デバイス設定が変更されているか否か判断する場合を例に説明しているが、これに限定されるものではない。例えば、デバイス設定を変更したプリンタＰＲＴから、変更した設定項目のみをデバイス設定情報としてＤＭサーバＳＶにアップロードするようにしてもよい。この場合、デバイス設定を変更したプリンタＰＲＴに変更した項目の情報のみを送信する仕組みを備える必要があるが、ＤＭサーバＳＶにはデバイス設定が変更されているか否か判断する仕組みを備える必要はない。
【００７７】
Ｂ３．変形例３：
上記実施例では、デバイス設定の全項目の情報を更新設定情報として、ＤＭサーバＳＶからアクセス対象のプリンタＰＲＴにダウンロードする場合を例に説明しているがこれに限定されるものではない。例えば、共通設定する項目のみを更新設定情報として、ダウンロードするようにしてもよい。また、変更された項目のみを更新設定情報として、ダウンロードするようにしてもよい。
【００７８】
Ｂ４．変形例４：
上記実施例では、グループ内に含まれるプリンタのデバイス設定が共通となるようにデバイス設定管理処理を実行する場合を例に説明しているが、あらかじめ、デバイス設定を共通化するグループを定めておき、グループの異なるプリンタ同士も共通設定となるようにすることも可能である。また、デバイス設定の項目ごとに、共通設定するグループを定めておき、その項目ごとに、グループの異なるプリンタ同士が共通設定となるようにすることも可能である。
【００７９】
Ｂ５．変形例５：
上記実施例では、各プリンタＰＲＴからアップロードされた受信設定情報と、プリンタＰＲＴごとに保持されている履歴情報としての現設定情報とを比較することにより、デバイス設定の変更を判断している。しかしながら、各プリンタに共通の設定情報（デフォルト設定情報）を履歴情報として保持しおき、このデフォルト設定情報と、受信設定情報とを比較することにより、デバイス設定の変更を判断するようにしてもよい。
【００８０】
Ｂ６．変形例６：
上記実施例では、グループＡ内のいずれか１台のプリンタＰＲＴのデバイス設定が変更された場合に、他のプリンタＰＲＴのデバイス設定が共通の設定となるように制御される場合を例に説明しているが、あらかじめ定められた特定のプリンタＰＲＴのデバイス設定が変更された場合に、他のプリンタＰＲＴのデバイス設定が共通の設定となるように制御されるようにしてもよい。なお、特定のプリンタＰＲＴは、１台のプリンタＰＲＴでもよいし、あるいは、あらかじめ定められた複数のプリンタのうち、いずれか１台のプリンタＰＲＴでもよい。こうすれば、デバイスの設定変更が可能なプリンタを制限することができる。また、特定のプリンタＰＲＴ以外のプリンタＰＲＴでデバイス設定を変更して使用したとしても、その変更を元に戻す作業をする必要がなく、管理サーバＳＶが特定のプリンタＰＲＴのデバイス設定情報に基づいて更新設定情報を作成し、作成した更新設定情報を変更して使用していたプリンタＰＲＴに送信して反映させることにより、特定のプリンタＰＲＴのデバイス設定と共通の設定状態に自動的に戻すことができる。
【００８１】
Ｂ７．変形例７：
上記実施例において、ネットワークに接続されるデバイスとしてプリンタＰＲＴを例に説明したが、本発明はこれに限られるものではない。例えば、ネットワークに接続されるパソコン周辺機器、コピー機、プロジェクタなど、他の種々のデバイスに本発明を適用しても、本発明の効果を奏すことができる。
【００８２】
Ｂ８．変形例８：
上記実施例において、プリンタＰＲＴおよびサーバＳＶの各部は、ソフトウェア的に構成されているものを、ハードウェア的に構成するようにしてもよいし、ハードウェア的に構成されているものを、ソフトウェア的に構成するようにしてもよい。
【図面の簡単な説明】
【００８３】
【図１】本発明の一実施例としてのデバイス管理システムの概要構成を示す説明図である。
【図２】図１におけるプリンタＰＲＴ１〜ＰＲＴ３およびＤＭサーバＳＶの内部構成を例示する説明図である。
【図３】本実施例におけるデバイス設定管理処理の手順を示すフローチャートである。
【図４】更新情報作成処理の手順を示すフローチャートである。
【図５】デバイス設定更新処理の手順を示すフローチャートである。
【図６】更新確認処理の手順を示すフローチャートである。
【図７】デバイス設定の変更例を示す説明図である。
【符号の説明】
【００８４】
１０００...デバイス管理システム
２０Ａ〜２０Ｃ...プリンタコントローラ
３０Ａ〜３０Ｃ...ネットワークインタフェース（ネットワークＩ／Ｆ）
４０Ａ〜４０Ｃ...ＤＭアクセス制御部部
５０Ａ〜５０Ｃ...デバイス監視部
６０Ａ〜６０Ｃ...メモリ
６２Ａ〜６２Ｃ...デバイス情報格納部
６４Ａ〜６４Ｃ...制御情報格納部
７０...ＤＭサーバ部
７２...デバイス設定管理部
８０...メモリ
８２...受信情報格納部
８４...更新情報格納部
８６...履歴情報格納部
９０...ネットワークＩ／Ｆ
ＣＬ...クライアントＰＣ
ＤＢ...データベース
ＦＷ...ファイアウォール
ＩＮＴ...インターネット
ＬＡＮ１，ＬＡＮ２...ローカルエリアネットワーク
ＰＲＴ...プリンタ
ＰＲＴ１〜ＰＲＴ３...プリンタ
ＳＶ...デバイスマネージメント(ＤＭ)サーバ
【図１】
2006099300.tif 000003
【図２】
2006099300.tif 000004
【図３】
2006099300.tif 000005
【図４】
2006099300.tif 000006
【図５】
2006099300.tif 000007
【図６】
2006099300.tif 000008
【図７】
2006099300.tif 000009